(57)【特許請求の範囲】
【請求項１】
全自動給湯機能を有する熱源機で発生した温水を温水配管を経由して浴室内の混合水栓に導いて洗い場又は浴槽において消費することができ、更に前記温水配管を浴室内において分岐し、この分岐した分岐配管の先にミストノズルを取り付けてこのミストノズルから浴室内及び床に向けて温水ミストを噴出させることにより浴室内の暖房を行う装置であって、
前記温水配管から供給される水温を検出するため水温検出手段を設けて、この水温検出手段で検出される水温が設定水温以上の場合、前記温水配管に取り付けられた温水制御弁をＯＦＦに制御して高温ミストの噴出により火傷を負うことがないように制御するミスト式浴室暖房装置の運転制御方法。
【請求項２】
水温検出手段が設定水温以上を検出した場合、温水制御弁を間欠的にＯＮ、ＯＦＦ制御する請求項１記載のミスト式浴室暖房装置の運転制御方法。
【請求項３】
水温検出手段が設定水温以上を検出した場合、温水制御弁を間欠的にＯＮ、ＯＦＦ制御すると共に、更にこの設定水温を越えた設定水温の場合に温水制御弁を閉じる請求項１又は２に記載のミスト式浴室暖房装置の運転制御方法。
【請求項４】
水温検出手段が設定水温以上を検出した場合、高温水をユニット配管から分岐した排水管側に排水するように構成して成る請求項１記載のミスト式浴室暖房装置の運転制御方法。
【請求項５】
水温検出手段が設定水温以上を検出して高温水を排水管側に排水している間に設定水温以下を検出した場合はミストノズル側に温水を切り換えて暖房運転に移行し、排水中の時間が一定時間を超えた場合には暖房運転を停止する請求項４記載のミスト式浴室暖房装置の運転制御方法。
【請求項６】
水温検出手段で検出される水温が設定水温以上を検出して火傷安全対策を講じた後、水温が設定水温を検出した場合には暖房運転を再開する請求項１乃至５に記載の何れかに該当するミスト式浴室暖房装置の運転制御方法。
【請求項７】
水温検出手段で検出される水温が設定温度以上を検出した場合、警報手段を駆動して警告を行い、運転停止スイッチがＯＦＦにされることにより警報手段の駆動を解除し、熱源機の出湯水温を設定水温に制御して運転を再開する請求項１乃至６に記載の何れかに該当するミスト式浴室暖房装置の運転制御方法。
【請求項８】
警報手段の駆動が設定時間を越えた場合、この駆動を停止するように構成して成る請求項７に記載のミスト式浴室暖房装置の運転制御方法。
【請求項９】
設定水温を任意に変更設定できるように構成して成る請求項１乃至８に記載のミスト式浴室暖房装置の運転制御方法。
【発明の詳細な説明】
【０００１】
【発明の属する技術分野】
本発明は、全自動給湯機能を有する熱源機で発生した温水を温水配管を経由して浴室内の混合水栓に導いて洗い場又は浴槽において消費することができ、更に前記温水配管を浴室内において分岐し、この分岐した分岐配管の先にミストノズルを取り付けてこのミストノズルから浴室内及び床に向けて温水ミストを噴出させることにより浴室内の暖房を行う装置の制御方法に関し、更に詳しくは、高温ミストが噴出して火傷を負うことがないように制御する方法に関する。
【０００２】
【従来の技術】
従来のミスト式浴室暖房装置の場合、熱源機から供給される温水をそのまま噴出する方式であることから、専用の熱源機を用いない限り、ミスト用の温水の温度は、他栓が使用されていたり、ミスト暖房中に他栓が使用されると、熱源機側から出湯される水温は他栓の設定水温に左右される。このため、水温が高温に設定されていた場合に、この高温の温水がミストノズル側にも供給されて、高温ミストが噴出し、火傷を負う心配がある。
【０００３】
【発明が解決しようとする課題】
本発明の課題は、高温ミストの噴出により火傷を負う心配のないミスト式浴室暖房装置の運転制御方法を提供することである。
【０００４】
【課題を解決するための手段】
本発明に係る上記課題を解決する発明の構成は次のとおりである。
１．全自動給湯機能を有する熱源機で発生した温水を温水配管を経由して浴室内の混合水栓に導いて洗い場又は浴槽において消費することができ、更に前記温水配管を浴室内において分岐し、この分岐した分岐配管の先にミストノズルを取り付けてこのミストノズルから浴室内及び床に向けて温水ミストを噴出させることにより浴室内の暖房を行う装置であって、
前記温水配管から供給される水温を検出するため水温検出手段を設けて、この水温検出手段で検出される水温が設定水温以上の場合、前記温水配管に取り付けられた温水制御弁をＯＦＦに制御して高温ミストの噴出により火傷を負うことがないように制御するミスト式浴室暖房装置の運転制御方法。
【０００５】
２．水温検出手段が設定水温以上を検出した場合、温水制御弁を間欠的にＯＮ、ＯＦＦ制御する前記１記載のミスト式浴室暖房装置の運転制御方法。
３．水温検出手段が設定水温以上を検出した場合、温水制御弁を間欠的にＯＮ、ＯＦＦ制御すると共に、更にこの設定水温を越えた設定水温の場合に温水制御弁を閉じる前記１又は２に記載のミスト式浴室暖房装置の運転制御方法。
【０００６】
４．水温検出手段が設定水温以上を検出した場合、高温水をユニット配管から分岐した排水管側に排水するように構成して成る前記１記載のミスト式浴室暖房装置の運転制御方法。
【０００７】
５．水温検出手段が設定水温以上を検出して高温水を排水管側に排水している間に設定水温以下を検出した場合はミストノズル側に温水を切り換えて暖房運転に移行し、排水中の時間が一定時間を超えた場合には暖房運転を停止する前記４記載のミスト式浴室暖房装置の運転制御方法。
【０００８】
６．水温検出手段で検出される水温が設定水温以上を検出して火傷安全対策を講じた後、水温が設定水温を検出した場合には暖房運転を再開する前記１乃至５に記載の何れかに該当するミスト式浴室暖房装置の運転制御方法。
【０００９】
７．水温検出手段で検出される水温が設定温度以上を検出した場合、警報手段を駆動して警告を行い、運転停止スイッチがＯＦＦにされることにより警報手段の駆動を解除し、熱源機の出湯水温を設定水温に制御して運転を再開する前記１乃至６に記載の何れかに該当するミスト式浴室暖房装置の運転制御方法。
【００１０】
８．警報手段の駆動が設定時間を越えた場合、この駆動を停止するように構成して成る前記７に記載のミスト式浴室暖房装置の運転制御方法。
９．設定水温を任意に変更設定できるように構成して成る前記１乃至８に記載のミスト式浴室暖房装置の運転制御方法。
【００１１】
【発明の実施の形態】
本発明に係るミスト式浴室暖房装置の運転制御方法は、浴室内にミスト式暖房ユニットを設置すると共に、このユニット内に運転を制御するコントローラを所有させ、すべて自動的に行う。
【００１２】
給湯熱源機は、給湯機能付の熱源機である以上、全自動給湯熱源機、熱媒熱交換器ユニット等であって、出湯水温が自動又は手動で調整できるものに適用される。つまり、熱源機から浴室の混合水栓に供給される水温が低温から高温である８０℃程度の温水を出湯する熱源機を用いてミスト式暖房を行う場合の熱源機が対象である。
【００１３】
【実施例】
図１に本発明を実施したミスト式浴室暖房装置を示す。この図１において、１は浴室の壁に対して固定穴２を用いて固定されたノズルユニット本体、３はこのノズルユニット本体１において、上向きに取り付けられた上向きミストノズルであって、この上向きミストノズル３は水平回転軸５と垂直回転軸６から成るノズルホルダー４で支持されている。
【００１４】
７はノズルユニット本体１において、下向きに取り付けられた下向きミストノズルであって、この下向きミストノズル７の場合も、水平回転軸９と垂直回転軸１０から成るノズルホルダー８で支持されている。
【００１５】
なお、上記ノズルホルダー４と８の回転部分には、クリック感を出すためのノック機構が組み込まれている。
１１はノズルユニット本体１の下部に設けた分岐配管接続口であって、この配管接続口１１は、途中出湯温サーミスタ１３、運転制御弁としての三方弁１４を経由して前記上向きミストノズル３と下向きミストノズル７にユニット配管１２を経由して接続されている。１５は前記三方弁１４で分岐された排水管である。
【００１６】
１６は前記分岐配管接続口１１から途中フィルタ１７を経由して混合水栓２０に至る給湯配管１９に接続された分岐配管である。２１は分岐継手、２２はコントローラ、２３は電源、２４はリモコン信号受信部であって、この受信部２４から運転ＯＮ、ＯＦＦ信号が入力される。２５はミスト量を制御するためのガバナ、２６は冷水配管である。
【００１７】
図２は、三方弁１４に代えて制御弁３０、排水弁３１を取り付けた実施例である。
【００１８】
次に、上記実施例の運転方法を説明する。先ず、通常のミスト式暖房運転の場合は、運転スイッチＯＮにより三方弁１４がミストノズル３、７側に切り換り、給湯配管１９を経由して供給されて来た熱源機（図示せず）からの温水が分岐配管１６→ガバナ２５→フィルタ１７→出湯温サーミスタ１３（水温検出手段）→三方弁１４（制御弁３０）→ユニット配管１２→上向きミストノズル３及び下向きミストノズル７→と至り、ここでミスト化されて浴室内に噴出する。
【００１９】
コントローラ２２は、上記通常運転に併せて、次に説明する制御を行う。
１．分岐配管１６から供給される水温をサーミスタ１３で検出し、このサーミスタ１３で検出される水温が設定水温例えば６５℃以上の場合、前記分岐配管１６に取りつけられた三方弁１４又は制御弁３０をＯＦＦに制御し、ミストノズル３、７から高温ミストが噴出しないようにする。
【００２０】
２．サーミスタ１３が設定水温である例えば６５℃以上を検出した場合、三方弁１４又は制御弁３０を間欠的にＯＮ、ＯＦＦ制御して一気に高温ミストが噴出しないようにする。
３．サーミスタ１３が設定水温例えば６５℃以上を検出した場合、三方弁１４又は制御弁３０を間欠的にＯＮ、ＯＦＦ制御すると共に、更に例えば７０℃を超えた場合には三方弁１４又は制御弁３０を閉じる。
【００２１】
４．サーミスタ１３が設定水温例えば６５℃以上を検出した場合、三方弁１４（又は排水弁３１を開いて）高温水を排水管１５側に切り換えて排水する。
５．サーミスタ１３が安全設定水温例えば６５℃以上を検出して高温水を排水管１５側に排水している間に６５℃以下を検出した場合はミストノズル３、７側に温水を切り換えて暖房運転に移行し、排水中の時間が例えば６０秒を超えた場合には暖房運転を停止する。
【００２２】
６．サーミスタ１３で検出される水温が設定水温が例えば６５℃以上を検出して一旦三方弁１４又は制御弁３０を閉じたが、水温が６５℃以上を検出したときには暖房運転を再開する。
７．サーミスタ１３で検出される水温が設定温度が例えば６５℃以上を検出した場合、警報手段３３を駆動して警告を行い、運転停止スイッチがＯＦＦにされることにより警報手段３３の駆動を解除し、熱源機の出湯水温を設定水温に制御して運転を再発する。
８．警報手段３３の駆動が設定時間を超えた場合、この駆動を停止する。
なお、実施例において、設定水温は６５℃であるが、この設定水温は任意に変更設定できる。
【００２３】
図３は運転制御方法の一例を示す流れ図であって、三方弁１４又は制御弁３０（運転スイッチ）ＯＮ（ステップ１００）によりサーミスタ１３が６５℃以上を３秒間検出し（ステップ１０１）、以下の場合は暖房運転に入り（ステップ１０２）、一方以上の場合には７秒間三方弁１４又は制御弁３０をＯＦＦに制御し（ステップ１０３）、併せてエラー表示を警報手段３３から出力し（ステップ１０４）、これが１０回連続した場合（ステップ１０５）、運転を完全に停止し（ステップ１０６）、リモコン停止信号受信又は内蔵タイマＯＦＦで復帰し（ステップ１０７）、ステップ１０５で三方弁１４又は制御弁３０を１秒間ＯＮに制御し（ステップ１０８）、６５℃以上を検出した場合（ステップ１０９）ステップ１０３に戻り、以下の場合はエラーを解除して通常運転に移行する（ステップ１１０）。
【００２４】
【発明の効果】
本発明は以上の如き制御を行うことにより、高温ミストが浴室内に噴出することがないので、火傷を負う心配がなく、安全である。
【図面の簡単な説明】
【図１】本発明の実施例の説明図。
【図２】三方弁を制御弁と排水弁に分けた実施例の説明図。
【図３】運転制御例（フロー）の説明図。
【符号の説明】
１  ノズルユニット本体
３  上向きミストノズル
７  下向きミストノズル
１２  ユニット配管
１４  三方弁
１５  排水管
１６  分岐配管
２０  混合水栓
２２  制御回路
２３  電源
２４  リモコン信号受信部
３３  警報手段
【図１】
0003547029.tif 000002
【図２】
0003547029.tif 000003
【図３】
0003547029.tif 000004